(57)【要約】      （修正有）【課題】段ボール製梱包箱の開梱に際し、カッターなどによる内容物への損傷を防止する技術を提供する。【解決手段】両端（一端２ａ、他端２ｂ）が開口された中空の箱本体２と、箱本体の一端開口を閉塞する箱蓋３と、箱本体の他端開口を閉塞する箱底４と、を具備し、箱本体と箱蓋と箱底とが、単一の段ボール５で一体的に構成されていると共に、箱本体と箱蓋と箱底とで囲まれた空間領域に内容物を収容して梱包する段ボール製梱包箱１であって、箱蓋は、空間領域に収容された内容物を覆うように、箱本体の一端開口を閉塞する保護カバーと、保護カバーを覆うように、箱本体の一端開口を閉塞する蓋本体と、を有している。【選択図】図１
0003233705.tif 000002
【実用新案登録請求の範囲】
【請求項１】
両端が開口された中空の箱本体と、
前記箱本体の一端の前記開口を閉塞する箱蓋と、
前記箱本体の他端の前記開口を閉塞する箱底と、を具備し、
前記箱本体と前記箱蓋と前記箱底とが、単一の段ボールで一体的に構成されていると共に、
前記箱本体と前記箱蓋と前記箱底とで囲まれた空間領域に内容物を収容して梱包する段ボール製梱包箱であって、
前記箱蓋は、
前記空間領域に収容された前記内容物を覆うように、前記箱本体の一端の前記開口を閉塞する保護カバーと、
前記保護カバーを覆うように、前記箱本体の一端の前記開口を閉塞する蓋本体と、を有している段ボール製梱包箱。
【請求項２】
前記箱蓋は、前記箱本体の一端に設けられた複数のフラップを備え、
複数の前記フラップは、前記箱本体に対して、折り曲げ可能に連結され、
前記保護カバーは、複数の前記フラップのうち一部の前記フラップを、前記空間領域に収容された前記内容物を覆うように折り曲げることで、前記箱本体の一端の前記開口を閉塞する請求項１に記載の段ボール製梱包箱。
【請求項３】
前記保護カバーは、複数の前記フラップのうち２つの前記フラップを、前記空間領域に収容された前記内容物を覆うように折り曲げることで、前記箱本体の一端の前記開口を閉塞する請求項２に記載の段ボール製梱包箱。
【請求項４】
２つの前記フラップを、前記空間領域に収容された前記内容物を覆うように折り曲げて、前記箱本体の一端の前記開口を閉塞した状態において、
２つの前記フラップは、互いに重なり合うこと無く、同一仮想平面上に沿って隙間無く隣接して配置される請求項３に記載の段ボール製梱包箱。
【請求項５】
前記保護カバーは、複数の前記フラップのうち１つの前記フラップを、前記空間領域に収容された前記内容物を覆うように折り曲げることで、前記箱本体の一端の前記開口を閉塞する請求項２に記載の段ボール製梱包箱。
【請求項６】
前記箱本体は、矩形状の立体的輪郭を有すると共に、前記箱本体の一端の前記開口は、矩形状に構成され、
前記箱本体の一端には、前記開口を囲むように、矩形状の平面的輪郭を有する４つの前記フラップが設けられ、
４つの前記フラップにおいて、２つの前記フラップは、前記開口の一方向両側に対向配置されていると共に、残余の２つの前記フラップは、前記開口の一方向両側に直交する他方向両側に対向配置されている請求項３に記載の段ボール製梱包箱。
【請求項７】
前記箱本体は、矩形状の立体的輪郭を有すると共に、前記箱本体の一端の前記開口は、矩形状に構成され、
前記箱本体の一端には、前記開口を囲むように、矩形状の平面的輪郭を有する３つの前記フラップが設けられ、
３つの前記フラップにおいて、２つの前記フラップは、前記開口の一方向両側に対向配置されていると共に、残余の１つの前記フラップは、前記開口の一方向両側に直交する他方向片側に配置されている請求項５に記載の段ボール製梱包箱。
【請求項８】
前記内容物は、複数のソフトテニスボールを含み、複数の前記ソフトテニスボールは、専用カゴに集積された状態で前記空間領域に収容されて梱包される請求項１に記載の段ボール製梱包箱。
【考案の詳細な説明】
【技術分野】
【０００１】
本考案は、段ボール製梱包箱の開梱に際し、カッターなどによる内容物（例えば、ソフトテニスボール）への損傷を防止する技術に関する。
【背景技術】
【０００２】
従来、所定の内容物を梱包して搬送するための段ボール製梱包箱が知られている。内容物として、例えば、複数のソフトテニスボールを想定すると、これらのソフトテニスボールは、専用カゴに集積された状態で段ボール製梱包箱に梱包される。
【先行技術文献】
【特許文献】
【０００３】
【特許文献１】特開２００６−８２８４２号公報
【考案の概要】
【考案が解決しようとする課題】
【０００４】
ところで、段ボール製梱包箱を開梱する際、カッターなどで箱蓋に切り込みを入れる場合がある。この場合、切り込み量ないし切り込み深さの程度によっては、カッターの刃先が、箱蓋を貫通して内容物（即ち、ソフトテニスボール）に到達し、その結果、当該内容物が傷付いてしまう虞がある。
【０００５】
本考案は、このような問題を解決するためになされており、その目的は、段ボール製梱包箱の開梱に際し、カッターなどによる内容物への損傷を防止する技術を提供することにある。
【課題を解決するための手段】
【０００６】
このような目的を達成するために、本考案は、両端が開口された中空の箱本体と、箱本体の一端の開口を閉塞する箱蓋と、箱本体の他端の開口を閉塞する箱底と、を具備し、箱本体と箱蓋と箱底とが、単一の段ボールで一体的に構成されていると共に、箱本体と箱蓋と箱底とで囲まれた空間領域に内容物を収容して梱包する段ボール製梱包箱であって、箱蓋は、空間領域に収容された内容物を覆うように、箱本体の一端の開口を閉塞する保護カバーと、保護カバーを覆うように、箱本体の一端の開口を閉塞する蓋本体と、を有している。
【考案の効果】
【０００７】
本考案によれば、段ボール製梱包箱の開梱に際し、カッターなどによる内容物への損傷を防止する技術を実現することができる。
【図面の簡単な説明】
【０００８】
【図１】本考案の一実施形態（図１〜図９参照）に係る段ボール製梱包箱をシート状に展開した平面図。
【図２】組立後の段ボール製梱包箱を箱底から見た斜視図。
【図３】組立後の段ボール製梱包箱において、開かれた箱蓋から専用カゴに収容された複数のソフトテニスボールを梱包する状態を示す斜視図。
【図４】箱蓋の一部（第１上側フラップ、第３上側フラップ）を折り曲げて構成した保護カバーの斜視図。
【図５】図４の保護カバーの外側を覆うように、箱蓋の残部（第２上側フラップ、第４上側フラップ）を折り曲げて構成した蓋本体の斜視図。
【図６】箱蓋の一部（第２上側フラップ、第４上側フラップ）を折り曲げて構成した保護カバーの斜視図。
【図７】図６の保護カバーの外側を覆うように、箱蓋の残部（第１上側フラップ、第３上側フラップ）を折り曲げて構成した蓋本体の斜視図。
【図８】シングルウォール構造を適用した段ボール製梱包箱の部分断面図。
【図９】ダブルウォール構造を適用した段ボール製梱包箱の部分断面図。
【図１０】本考案の第１変形例（図１０〜図１１参照）に係る段ボール製梱包箱をシート状に展開した平面図。
【図１１】組立後の段ボール製梱包箱を箱蓋から見た斜視図。
【図１２】本考案の第２変形例（図１２〜図１３参照）に係る段ボール製梱包箱をシート状に展開した平面図。
【図１３】組立後の段ボール製梱包箱を箱蓋から見た斜視図。
【考案を実施するための形態】
【０００９】
「一実施形態」  
図１は、本実施形態に係る段ボール製梱包箱１の展開図である。図１の例において、段ボール製梱包箱１は、箱本体２と、箱蓋３と、箱底４と、を具備し、これらの箱本体２、箱蓋３、箱底４は、単一の段ボール５で一体的に構成されている。
【００１０】
なお、段ボール５は、例えば、図８に示されたシングルウォール構造、或いは、図９に示されたダブルウォール構造などを適用して構成することができる。シングルウォール構造の段ボール５では、波状に成型された中芯６の両側にライナ７ａ,７ｂが貼り合わされている。一方、ダブルウォール構造の段ボール５では、中心ライナ７ｃの両側に波状に成型された中芯６ａ,６ｂを配置し、これらの中芯６ａ,６ｂの両外側にライナ７ａ,７ｂが貼り合わされている。
【００１１】
図１に示すように、箱本体２は、矩形状（正方形や長方形などの形状を含む）の平面的輪郭を有する４つの本体壁（第１本体壁８ａ、第２本体壁８ｂ、第３本体壁８ｃ、第４本体壁８ｄ）と、台形状を有する１つの糊代９（継ぎ代ともいう）と、を備えている。
【００１２】
第１本体壁８ａと第２本体壁８ｂと第３本体壁８ｃと第４本体壁８ｄとは、この順番に連結されている。糊代９は、第１本体壁８ａの片側（第２本体壁８ｂの反対側）に連結されている。第１本体壁８ａと第３本体壁８ｃとは、互いに同一の形状及び大きさを有している。第２本体壁８ｂと第４本体壁８ｄとは、互いに同一の形状及び大きさを有している。図１では一例として、４つの本体壁８ａ,８ｂ,８ｃ,８ｄは、それぞれ、長方形の輪郭を有している。
【００１３】
糊代９と第１本体壁８ａとの間には、第１本体折曲線１０ａが介在され、糊代９及び第１本体壁８ａは、第１本体折曲線１０ａを中心に、互いに折り曲げ可能に構成されている。第１本体壁８ａと第２本体壁８ｂとの間には、第２本体折曲線１０ｂが介在され、第１本体壁８ａ及び第２本体壁８ｂは、第２本体折曲線１０ｂを中心に、互いに折り曲げ可能に構成されている。
【００１４】
第２本体壁８ｂと第３本体壁８ｃとの間には、第３本体折曲線１０ｃが介在され、第２本体壁８ｂ及び第３本体壁８ｃは、第３本体折曲線１０ｃを中心に、互いに折り曲げ可能に構成されている。第３本体壁８ｃと第４本体壁８ｄとの間には、第４本体折曲線１０ｄが介在され、第３本体壁８ｃ及び第４本体壁８ｄは、第４本体折曲線１０ｄを中心に、互いに折り曲げ可能に構成されている。
【００１５】
第１本体折曲線１０ａ、第２本体折曲線１０ｂ、第３本体折曲線１０ｃ、第４本体折曲線１０ｄは、それぞれ直線状を成し、互いに平行かつ同一寸法に設定されている。なお、これらの本体折曲線１０ａ,１０ｂ,１０ｃ,１０ｄの寸法は、後述する縦寸法Ｔと一致している。
【００１６】
第１本体壁８ａ、第２本体壁８ｂ、第３本体壁８ｃ、第４本体壁８ｄの縦寸法Ｔ（梱包箱１或いは箱本体２の深さ、高さともいう）は、互いに同一値に設定されている。第１本体壁８ａ及び第３本体壁８ｃの横寸法Ｅは、互いに同一値に設定されている。第２本体壁８ｂ及び第４本体壁８ｄの横寸法Ｆは、互いに同一値に設定されている。縦寸法Ｔ、横寸法Ｅ、横寸法Ｆは、例えば、段ボール製梱包箱１の用途や使用目的、種類やサイズなどに応じて設定されるので、特に数値限定はしない。図１では一例として、Ｔ＜Ｆ＜Ｅなる関係に設定されている。また、縦と横とは、互いに直交する位置関係に設定されている。
【００１７】
このような箱本体２によれば、４つの本体壁８ａ,８ｂ,８ｃ,８ｄを４つの折曲線１０ａ,１０ｂ,１０ｃ,１０ｄを介して折り曲げた状態で、糊代９を第４本体壁８ｄの片側（第３本体壁８ｃの反対側）に接合する。このとき、第１本体壁８ａと第３本体壁８ｃとが、互いに平行に対向して配置されると共に、第２本体壁８ｂと第４本体壁８ｄとが、互いに平行に対向して配置される（図３参照）。なお、糊代９と第４本体壁８ｄとの接合方法は、例えば、接着、針止めなど既存の方法を適用すればよい。
【００１８】
この状態において、箱本体２は、両端（一端２ａ、他端２ｂ）が開口された矩形状の立体的輪郭（図３参照）を有している。箱本体２の一端２ａの開口（以下、一端開口Ｈａという）、並びに、箱本体２の他端２ｂの開口（以下、他端開口Ｈｂという）は、共に、矩形状に構成されている。
【００１９】
なお、一端開口Ｈａ及び他端開口Ｈｂは、互いに同一の大きさを有する長方形の輪郭を有している。特に参照符号は付さないが、長方形の輪郭は、平行に対向した横寸法Ｅの二辺と、これらの二辺に直交して平行に対向した横寸法Ｆの二辺とで区画されている。
【００２０】
箱本体２の一端開口Ｈａは、後述する箱蓋３で閉塞可能であり、箱本体２の他端開口Ｈｂは、後述する箱底４で閉塞可能である。この場合、一端開口Ｈａを箱蓋３で閉塞し、他端開口Ｈｂを箱底４で閉塞した状態において、箱本体２と箱蓋３と箱底４とで囲まれた空間領域に、所定の内容物Ｐ（図３参照）が収容されて梱包される。
【００２１】
図１に示すように、箱蓋３は、箱本体２の一端２ａに設けられた４つの上側フラップ（第１上側フラップ１１ａ、第２上側フラップ１１ｂ、第３上側フラップ１１ｃ、第４上側フラップ１１ｄ）を備えている。
【００２２】
４つの上側フラップ１１ａ,１１ｂ,１１ｃ,１１ｄは、それぞれ、矩形状（正方形や長方形などの形状を含む）の平面的輪郭を有している。第１上側フラップ１１ａと第３上側フラップ１１ｃとは、互いに異なる形状及び大きさを有している。第２上側フラップ１１ｂと第４上側フラップ１１ｄとは、互いに同一の形状及び大きさを有している。図１では一例として、４つの上側フラップ１１ａ,１１ｂ,１１ｃ,１１ｄは、それぞれ、長方形の輪郭を有している。
【００２３】
これら４つの上側フラップ１１ａ,１１ｂ,１１ｃ,１１ｄは、箱本体２（即ち、第１本体壁８ａ、第２本体壁８ｂ、第３本体壁８ｃ、第４本体壁８ｄ）に対して、折り曲げ可能に連結されている。この場合、第１上側フラップ１１ａは、第１本体壁８ａに連結されている。第２上側フラップ１１ｂは、第２本体壁８ｂに連結されている。第３上側フラップ１１ｃは、第３本体壁８ｃに連結されている。第４上側フラップ１１ｄは、第４本体壁８ｄに連結されている。
【００２４】
第１上側フラップ１１ａと第１本体壁８ａとの間には、第１上側折曲線１２ａが介在され、第１上側フラップ１１ａ及び第１本体壁８ａは、第１上側折曲線１２ａを中心に、互いに折り曲げ可能に構成されている。第２上側フラップ１１ｂと第２本体壁８ｂとの間には、第２上側折曲線１２ｂが介在され、第２上側フラップ１１ｂ及び第２本体壁８ｂは、第２上側折曲線１２ｂを中心に、互いに折り曲げ可能に構成されている。
【００２５】
第３上側フラップ１１ｃと第３本体壁８ｃとの間には、第３上側折曲線１２ｃが介在され、第３上側フラップ１１ｃ及び第３本体壁８ｃは、第３上側折曲線１２ｃを中心に、互いに折り曲げ可能に構成されている。第４上側フラップ１１ｄと第４本体壁８ｄとの間には、第４上側折曲線１２ｄが介在され、第４上側フラップ１１ｄ及び第４本体壁８ｄは、第４上側折曲線１２ｄを中心に、互いに折り曲げ可能に構成されている。
【００２６】
第１上側折曲線１２ａ、第２上側折曲線１２ｂ、第３上側折曲線１２ｃ、第４上側折曲線１２ｄは、それぞれ直線状を成し、互いに箱本体２の一端２ａに沿って真っ直ぐに並んで配置されている。第１上側折曲線１２ａと第３上側折曲線１２ｃとは、互いに同一寸法に設定されている。これらの上側折曲線１２ａ,１２ｃの寸法は、上記した第１本体壁８ａ及び第３本体壁８ｃの横寸法Ｅと一致している。第２上側折曲線１２ｂと第４上側折曲線１２ｄとは、互いに同一寸法に設定されている。これらの上側折曲線１２ｂ,１２ｄの寸法は、上記した第２本体壁８ｂ及び第４本体壁８ｄの横寸法Ｆと一致している。
【００２７】
第１上側フラップ１１ａ、第２上側フラップ１１ｂ、第４上側フラップ１１ｄの縦寸法Ｎ（幅、長さともいう）は、互いに同一値に設定されている。第３上側フラップ１１ｃの縦寸法Ｋ（幅、長さともいう）は、上記した縦寸法Ｎよりも短く（小さく）設定されている（Ｋ＜Ｎ）。縦寸法Ｎ、縦寸法Ｋは、例えば、段ボール製梱包箱１の用途や使用目的、種類やサイズなどに応じて設定されるので、特に数値限定はしない。
【００２８】
別の捉え方をすると、縦寸法Ｎと縦寸法Ｋとの合計（Ｎ＋Ｋ）は、上記した横寸法Ｆと一致（Ｎ＋Ｋ＝Ｆ）するように設定されている。更に、縦寸法Ｎと縦寸法Ｎとの合計（Ｎ＋Ｎ）、換言すると、縦寸法Ｎの２倍（Ｎ×２）は、上記した横寸法Ｅと一致（２Ｎ＝Ｅ）するように設定されている。
【００２９】
このような箱蓋３によれば、上記した箱本体２を組み立てた状態において（図３参照）、箱本体２の一端開口Ｈａを囲むように、４つの上側フラップ（第１上側フラップ１１ａ、第２上側フラップ１１ｂ、第３上側フラップ１１ｃ、第４上側フラップ１１ｄ）が位置付けられる。なお、これら４つの上側フラップ１１ａ,１１ｂ,１１ｃ,１１ｄの具体的な配置構成については、後述する図３の説明において詳述する。
【００３０】
図１に示すように、箱底４は、箱本体２の他端２ｂに設けられた４つの下側フラップ（第１下側フラップ１３ａ、第２下側フラップ１３ｂ、第３下側フラップ１３ｃ、第４下側フラップ１３ｄ）を備えている。
【００３１】
４つの下側フラップ１３ａ,１３ｂ,１３ｃ,１３ｄは、それぞれ、矩形状（正方形や長方形などの形状を含む）の平面的輪郭を有している。第１下側フラップ１３ａと第３下側フラップ１３ｃとは、互いに同一の形状及び大きさを有している。第２下側フラップ１３ｂと第４下側フラップ１３ｄとは、互いに同一の形状及び大きさを有している。図１では一例として、４つの下側フラップ１３ａ,１３ｂ,１３ｃ,１３ｄは、それぞれ、長方形の輪郭を有している。
【００３２】
これら４つの下側フラップ１３ａ,１３ｂ,１３ｃ,１３ｄは、箱本体２（即ち、第１本体壁８ａ、第２本体壁８ｂ、第３本体壁８ｃ、第４本体壁８ｄ）に対して、折り曲げ可能に連結されている。この場合、第１下側フラップ１３ａは、第１本体壁８ａに連結されている。第２下側フラップ１３ｂは、第２本体壁８ｂに連結されている。第３下側フラップ１３ｃは、第３本体壁８ｃに連結されている。第４下側フラップ１３ｄは、第４本体壁８ｄに連結されている。
【００３３】
第１下側フラップ１３ａと第１本体壁８ａとの間には、第１下側折曲線１４ａが介在され、第１下側フラップ１３ａ及び第１本体壁８ａは、第１下側折曲線１４ａを中心に、互いに折り曲げ可能に構成されている。第２下側フラップ１３ｂと第２本体壁８ｂとの間には、第２下側折曲線１４ｂが介在され、第２下側フラップ１３ｂ及び第２本体壁８ｂは、第２下側折曲線１４ｂを中心に、互いに折り曲げ可能に構成されている。
【００３４】
第３下側フラップ１３ｃと第３本体壁８ｃとの間には、第３下側折曲線１４ｃが介在され、第３下側フラップ１３ｃ及び第３本体壁８ｃは、第３下側折曲線１４ｃを中心に、互いに折り曲げ可能に構成されている。第４下側フラップ１３ｄと第４本体壁８ｄとの間には、第４下側折曲線１４ｄが介在され、第４下側フラップ１３ｄ及び第４本体壁８ｄは、第４下側折曲線１４ｄを中心に、互いに折り曲げ可能に構成されている。
【００３５】
第１下側折曲線１４ａ、第２下側折曲線１４ｂ、第３下側折曲線１４ｃ、第４下側折曲線１４ｄは、それぞれ直線状を成し、互いに箱本体２の他端２ｂに沿って真っ直ぐに並んで配置されている。第１下側折曲線１４ａと第３下側折曲線１４ｃとは、互いに同一寸法に設定されている。これらの下側折曲線１４ａ,１４ｃの寸法は、上記した第１本体壁８ａ及び第３本体壁８ｃの横寸法Ｅと一致している。第２下側折曲線１４ｂと第４下側折曲線１４ｄとは、互いに同一寸法に設定されている。これらの下側折曲線１４ｂ,１４ｄの寸法は、上記した第２本体壁８ｂ及び第４本体壁８ｄの横寸法Ｆと一致している。
【００３６】
第１下側フラップ１３ａ、第２下側フラップ１３ｂ、第３下側フラップ１３ｃ、第４下側フラップ１３ｄの縦寸法Ｍ（幅、長さともいう）は、互いに同一値に設定されている。縦寸法Ｍは、例えば、段ボール製梱包箱の用途や使用目的、種類やサイズなどに応じて設定されるので、特に数値限定はしない。図１では一例として、Ｍ＜Ｆ＜Ｅなる関係に設定されている。更に、縦寸法Ｍと縦寸法Ｍとの合計（Ｍ＋Ｍ）、換言すると、縦寸法Ｍの２倍（Ｍ×２）は、上記した横寸法Ｆと一致（２Ｍ＝Ｆ）するように設定されている。
【００３７】
このような箱底４によれば、上記した箱本体２を組み立てた状態において（図２参照）、箱本体２の他端開口Ｈｂを囲むように、４つの下側フラップ（第１下側フラップ１３ａ、第２下側フラップ１３ｂ、第３下側フラップ１３ｃ、第４下側フラップ１３ｄ）が位置付けられる。なお、これら４つの下側フラップ１３ａ,１３ｂ,１３ｃ,１３ｄの具体的な配置構成については、後述する図２の説明において詳述する。
【００３８】
図２は、箱本体２の他端開口Ｈｂが箱底４で閉塞された段ボール製梱包箱１の底面図である。図２の例において、第１下側フラップ１３ａ及び第３下側フラップ１３ｃが、他端開口Ｈｂの一方向両側に対向配置されていると共に、第２下側フラップ１３ｂ及び第４下側フラップ１３ｄが、他端開口Ｈｂの一方向両側に直交する他方向両側に対向配置されている。
【００３９】
ここでは、先ず、第２下側フラップ１３ｂ及び第４下側フラップ１３ｄを、他端開口Ｈｂを覆うように折り曲げる。次に、第２下側フラップ１３ｂ及び第４下側フラップ１３ｄを覆うように、第１下側フラップ１３ａ及び第３下側フラップ１３ｃを折り曲げる。このとき、これら２つの下側フラップ１３ａ,１３ｃは、互いに重なり合うこと無く、同一仮想平面上に沿って隙間無く隣接して配置される。
【００４０】
この後、２つの下側フラップ１３ａ,１３ｃを箱本体２に固定する。固定方法としては、例えば、接着、粘着テープ止めなど既存の方法を適用することができる。かくして、図２に示すように、箱底４によって箱本体２の他端開口Ｈｂが閉塞される。
【００４１】
図３は、開かれた箱蓋３の配置構成図である。図３の例において、箱蓋３は、上記した４つの上側フラップ（第１上側フラップ１１ａ、第２上側フラップ１１ｂ、第３上側フラップ１１ｃ、第４上側フラップ１１ｄ）によって構成される保護カバー及び蓋本体を有している。
【００４２】
図３に示すように、第１上側フラップ１１ａ及び第３上側フラップ１１ｃは、一端開口Ｈａの一方向両側に対向配置されている。第２上側フラップ１１ｂ及び第４上側フラップ１１ｄは、一端開口Ｈａの一方向両側に直交する他方向両側に対向配置されている。このとき、これら４つの上側フラップ１１ａ,１１ｂ,１１ｃ,１１ｄは、箱本体２の一端開口Ｈａを開放するように位置付けられている。
【００４３】
図３では内容物Ｐの一例として、複数のソフトテニスホールＰａを想定し、これら複数のソフトテニスホールＰａは、透明フィルム袋（図示しない）に小分け包装された状態で、専用カゴＰｂに集積されている。
【００４４】
ここで、内容物Ｐを、開かれた箱蓋３から一端開口Ｈａを通して箱本体２内に挿入し、箱底４に載置する。これにより、内容物Ｐは、箱本体２と箱蓋３と箱底４とで囲まれた空間領域に収容される。
【００４５】
次に、この空間領域に収容された内容物Ｐを覆うように、４つの上側フラップ１１ａ,１１ｂ,１１ｃ,１１ｄのうち一部の上側フラップを折り曲げる。この状態において、一部の上側フラップが、保護カバーとなって箱本体２の一端開口Ｈａを閉塞する。
【００４６】
続いて、保護カバーを覆うように、残余（残部）の上側フラップを折り曲げる。この状態において、残余（残部）の上側フラップが、蓋本体となって箱本体２の一端開口Ｈａを閉塞する。なお、残余（残部）の上側フラップとは、４つの上側フラップ１１ａ,１１ｂ,１１ｃ,１１ｄのうち一部の上側フラップを除いた残りの上側フラップを指す。
【００４７】
図４は、保護カバーの配置構成図である。図４の例において、保護カバーは、４つの上側フラップ１１ａ,１１ｂ,１１ｃ,１１ｄのうち一部の上側フラップ、即ち、第１上側フラップ１１ａ、第３上側フラップ１１ｃで構成されている。これら２つの上側フラップ１１ａ,１１ｃを、上記した空間領域に収容された内容物Ｐを覆うように折り曲げることで、箱本体２の一端開口Ｈａが閉塞される。
【００４８】
この状態において、２つの上側フラップ１１ａ,１１ｃは、互いに重なり合うこと無く、同一仮想平面上に沿って隙間無く隣接して配置される。これにより、これら２つの上側フラップ１１ａ,１１ｃで構成された保護カバーは、あたかも１枚（単体）の平坦状カバーとなる。この結果、内容物Ｐは、平坦状の保護カバー（上側フラップ１１ａ,１１ｃ）によって、隙間無く覆われる。
【００４９】
図５は、蓋本体の配置構成図である。図５の例において、蓋本体は、上記した一部の上側フラップ１１ａ,１１ｃを除いた残りの上側フラップ、即ち、第２上側フラップ１１ｂ及び第４上側フラップ１１ｄで構成されている。これら２つの上側フラップ１１ｂ,１１ｄを、上記した保護カバー（上側フラップ１１ａ,１１ｃ）を覆うように折り曲げることで、箱本体２の一端開口Ｈａが閉塞される。
【００５０】
この状態において、２つの上側フラップ１１ｂ,１１ｄは、互いに重なり合うこと無く、同一仮想平面上に沿って隙間無く隣接して配置される。これにより、これら２つの上側フラップ１１ｂ,１１ｄで構成された蓋本体は、あたかも１枚（単体）の平坦状蓋となる。この結果、保護カバー（上側フラップ１１ａ,１１ｃ）は、平坦状の蓋本体（上側フラップ１１ｂ,１１ｄ）によって、隙間無く覆われる。
【００５１】
かくして、内容物Ｐ（図３参照）は、保護カバー（上側フラップ１１ａ,１１ｃ）によって開梱時の損傷防止が図られた状態で、箱本体２と箱蓋３と箱底４とで囲まれた空間領域に収容されて梱包される。
【００５２】
なお、上記した実施形態では、保護カバーを一部の上側フラップ１１ａ,１１ｃで構成すると共に、蓋本体を残余（残部）の上側フラップ１１ｂ,１１ｄで構成したが、これに限定されることは無く、下記のように保護カバー（図６参照）及び蓋本体（図７参照）を構成してもよい。
【００５３】
図６は、保護カバーの配置構成図である。図６の例において、保護カバーは、４つの上側フラップ１１ａ,１１ｂ,１１ｃ,１１ｄのうち一部の上側フラップ、即ち、第２上側フラップ１１ｂ、第４上側フラップ１１ｄで構成されている。これら２つの上側フラップ１１ｂ,１１ｄを、上記した空間領域に収容された内容物Ｐを覆うように折り曲げることで、箱本体２の一端開口Ｈａが閉塞される。
【００５４】
この状態において、２つの上側フラップ１１ｂ,１１ｄは、互いに重なり合うこと無く、同一仮想平面上に沿って隙間無く隣接して配置される。これにより、これら２つの上側フラップ１１ｂ,１１ｄで構成された保護カバーは、あたかも１枚（単体）の平坦状カバーとなる。この結果、内容物Ｐは、平坦状の保護カバー（上側フラップ１１ｂ,１１ｄ）によって、隙間無く覆われる。
【００５５】
図７は、蓋本体の配置構成図である。図７の例において、蓋本体は、上記した一部の上側フラップ１１ｂ,１１ｄを除いた残りの上側フラップ、即ち、第１上側フラップ１１ａ及び第３上側フラップ１１ｃで構成されている。これら２つの上側フラップ１１ａ,１１ｃを、上記した保護カバー（上側フラップ１１ｂ,１１ｄ）を覆うように折り曲げることで、箱本体２の一端開口Ｈａが閉塞される。
【００５６】
この状態において、２つの上側フラップ１１ａ,１１ｃは、互いに重なり合うこと無く、同一仮想平面上に沿って隙間無く隣接して配置される。これにより、これら２つの上側フラップ１１ａ,１１ｃで構成された蓋本体は、あたかも１枚（単体）の平坦状蓋となる。この結果、保護カバー（上側フラップ１１ｂ,１１ｄ）は、平坦状の蓋本体（上側フラップ１１ａ,１１ｃ）によって、隙間無く覆われる。
【００５７】
かくして、内容物Ｐ（図３参照）は、保護カバー（上側フラップ１１ｂ,１１ｄ）によって開梱時の損傷防止が図られた状態で、箱本体２と箱蓋３と箱底４とで囲まれた空間領域に収容されて梱包される。
【００５８】
以上、本実施形態によれば、箱本体２と箱蓋３と箱底４とで囲まれた空間領域に内容物Ｐを収容して梱包した状態において、内容物Ｐは、保護カバーの上に蓋本体が配置された二重構造の箱蓋３によって覆われる。これにより、段ボール製梱包箱１を開梱する際に、カッター（図示しない）で箱蓋３に切り込みを入れる場合、たとえカッターの刃先が蓋本体を貫通しても、保護カバーが障壁となって、それ以上の刃先の進行を阻止することができる。この結果、カッターの刃先が、箱蓋３を貫通して内容物Ｐ（即ち、ソフトテニスボール）に到達するのを回避することができる。かくして、開梱時における内容物Ｐの損傷防止を確実に図ることが可能な段ボール製梱包箱１を実現することができる。
【００５９】
本実施形態によれば、箱本体２と箱底４と共に、保護カバー及び蓋本体を有する箱蓋３が単一の段ボール５で一体的に構成されている。これにより、保護カバーを別体で構成する場合と比較して、保護カバーの搬送や保管が容易になるだけでなく、段ボール５の製造プロセスで保護カバーも同時に成形することができる。この結果、段ボール製梱包箱１の製造に要する時間及びコストを大幅に低減させることができる。
【００６０】
本実施形態によれば、２つの上側フラップ１１ａ,１１ｃ（図４参照）、或いは、２つの上側フラップ１１ｂ,１１ｄ（図６参照）を保護カバーとし、この保護カバーで内容物Ｐを覆った状態において、これら２つの上側フラップは、互いに重なり合うこと無く、同一仮想平面上に沿って隙間無く隣接して配置される。これにより、これら２つの上側フラップで構成された保護カバーは、あたかも１枚（単体）の平坦状カバーとなる。この結果、平坦状の保護カバーによって、内容物Ｐを隙間無く覆うことができる。
【００６１】
なお、上記した実施形態では、２つの上側フラップ１１ａ,１１ｃ（又は、２つの上側フラップ１１ｂ,１１ｄ）で構成した保護カバーを想定したが、これに代えて、後述する第１変形例（図１０及び図１１参照）及び第２変形例（図１２及び図１３参照）のように、１つ（単体）の上側フラップによって保護カバーを構成してもよい。
【００６２】
「第１変形例」  
図１０は、第１変形例に係る段ボール製梱包箱１の展開図である。図１１は、開かれた箱蓋３の配置構成図である。図１０及び図１１の例において、上記した実施形態の４つの上側フラップ（第１上側フラップ１１ａ、第２上側フラップ１１ｂ、第３上側フラップ１１ｃ、第４上側フラップ１１ｄ）のうち、第２上側フラップ１１ｂが削除され、第４上側フラップ１１ｄの縦寸法Ｌが延長されている。
【００６３】
第４上側フラップ１１ｄの縦寸法Ｌは、上記した縦寸法Ｎよりも長く（大きく）設定されていると共に、上記した横寸法Ｅと同一値に設定されている（Ｎ＜Ｌ＝Ｅ）。なお、他の配置構成は、上記した実施形態と同様であるため、図１０及び図１１に示された構成に対して実施形態と同一符号を付すことで、その説明は省略する。
【００６４】
図１０及び図１１に示すように、上記した実施形態と同様に、箱本体２を組み立てた状態において、箱本体２の一端開口Ｈａを囲むように、３つの上側フラップ（第１上側フラップ１１ａ、第３上側フラップ１１ｃ、第４上側フラップ１１ｄ）が位置付けられる。
【００６５】
この状態において、第１上側フラップ１１ａ及び第３上側フラップ１１ｃは、一端開口Ｈａの一方向両側に対向配置されている。そして、残余の１つの第４上側フラップ１１ｄは、一端開口Ｈａの一方向両側に直交する他方向片側に配置されている。
【００６６】
第１変形例において、保護カバーは、３つの上側フラップ１１ａ,１１ｃ,１１ｄのうち一部の上側フラップ、即ち、１つ（単体）の第４上側フラップ１１ｄで構成されている。この第４上側フラップ１１ｄを、上記した空間領域に収容された内容物Ｐを覆うように折り曲げることで、箱本体２の一端開口Ｈａが閉塞される。
【００６７】
第１変形例において、蓋本体は、上記した一部の上側フラップ１１ｄを除いた残りの上側フラップ、即ち、第１上側フラップ１１ａ及び第３上側フラップ１１ｃで構成されている。これら２つの上側フラップ１１ａ,１１ｃを、上記した保護カバー（上側フラップ１１ｄ）を覆うように折り曲げることで、箱本体２の一端開口Ｈａが閉塞される。
【００６８】
かくして、内容物Ｐ（図３参照）は、保護カバー（上側フラップ１１ｄ）によって開梱時の損傷防止が図られた状態で、箱本体２と箱蓋３と箱底４とで囲まれた空間領域に収容されて梱包される。なお、第１変形例の効果は、上記した実施形態と同様であるため、その説明は省略する。
【００６９】
「第２変形例」  
図１２は、第２変形例に係る段ボール製梱包箱１の展開図である。図１３は、開かれた箱蓋３の配置構成図である。図１２及び図１３の例において、上記した実施形態の４つの上側フラップ（第１上側フラップ１１ａ、第２上側フラップ１１ｂ、第３上側フラップ１１ｃ、第４上側フラップ１１ｄ）のうち、第３上側フラップ１１ｃが削除され、第１上側フラップ１１ａの縦寸法Ｗが延長されている。
【００７０】
第１上側フラップ１１ａの縦寸法Ｗは、上記した縦寸法Ｎよりも長く（大きく）設定されていると共に、上記した横寸法Ｆと同一値に設定されている（Ｎ＜Ｌ＝Ｆ）。なお、他の配置構成は、上記した実施形態と同様であるため、図１２及び図１３に示された構成に対して実施形態と同一符号を付すことで、その説明は省略する。
【００７１】
図１２及び図１３に示すように、上記した実施形態と同様に、箱本体２を組み立てた状態において、箱本体２の一端開口Ｈａを囲むように、３つの上側フラップ（第１上側フラップ１１ａ、第２上側フラップ１１ｂ、第４上側フラップ１１ｄ）が位置付けられる。
【００７２】
この状態において、第２上側フラップ１１ｂ及び第４上側フラップ１１ｄは、一端開口Ｈａの一方向両側に対向配置されている。そして、残余の１つの第１上側フラップ１１ａは、一端開口Ｈａの一方向両側に直交する他方向片側に配置されている。
【００７３】
第２変形例において、保護カバーは、３つの上側フラップ１１ａ,１１ｂ,１１ｄのうち一部の上側フラップ、即ち、１つ（単体）の第１上側フラップ１１ａで構成されている。この第１上側フラップ１１ａを、上記した空間領域に収容された内容物Ｐを覆うように折り曲げることで、箱本体２の一端開口Ｈａが閉塞される。
【００７４】
第２変形例において、蓋本体は、上記した一部の上側フラップ１１ａを除いた残りの上側フラップ、即ち、第２上側フラップ１１ｂ及び第４上側フラップ１１ｄで構成されている。これら２つの上側フラップ１１ｂ,１１ｄを、上記した保護カバー（上側フラップ１１ａ）を覆うように折り曲げることで、箱本体２の一端開口Ｈａが閉塞される。
【００７５】
かくして、内容物Ｐ（図３参照）は、保護カバー（上側フラップ１１ａ）によって開梱時の損傷防止が図られた状態で、箱本体２と箱蓋３と箱底４とで囲まれた空間領域に収容されて梱包される。なお、第２変形例の効果は、上記した実施形態と同様であるため、その説明は省略する。
【符号の説明】
【００７６】
１…段ボール製梱包箱、２…箱本体、２ａ…一端、２ｂ…他端、３…箱蓋、４…箱底、５…段ボール、６…中芯、６ａ,６ｂ…中芯、７ａ,７ｂ…ライナ、７ｃ…中心ライナ、８ａ…第１本体壁、８ｂ…第２本体壁、８ｃ…第３本体壁、８ｄ…第４本体壁、９…糊代（継ぎ代）、１０ａ…第１本体折曲線、１０ｂ…第２本体折曲線、１０ｃ…第３本体折曲線、１０ｄ…第４本体折曲線、１１ａ…第１上側フラップ、１１ｂ…第２上側フラップ、１１ｃ…第３上側フラップ、１１ｄ…第４上側フラップ、１２ａ…第１上側折曲線、１２ｂ…第２上側折曲線、１２ｃ…第３上側折曲線、１２ｄ…第４上側折曲線、１３ａ…第１下側フラップ、１３ｂ…第２下側フラップ、１３ｃ…第３下側フラップ、１３ｄ…第４下側フラップ、１４ａ…第１下側折曲線、１４ｂ…第２下側折曲線、１４ｃ…第３下側折曲線、１４ｄ…第４下側折曲線、Ｅ,Ｆ…横寸法、Ｈａ…一端開口、Ｈｂ…他端開口、Ｐ…内容物、Ｐａ…ソフトテニスボール、Ｐｂ…専用カゴ、Ｔ…縦寸法。
【図１】
0003233705.tif 000003
【図２】
0003233705.tif 000004
【図３】
0003233705.tif 000005
【図４】
0003233705.tif 000006
【図５】
0003233705.tif 000007
【図６】
0003233705.tif 000008
【図７】
0003233705.tif 000009
【図８】
0003233705.tif 000010
【図９】
0003233705.tif 000011
【図１０】
0003233705.tif 000012
【図１１】
0003233705.tif 000013
【図１２】
0003233705.tif 000014
【図１３】
0003233705.tif 000015